(57)【特許請求の範囲】
【請求項１】
楽器本体の音孔を開閉制御するタンポを収納する木管楽器用タンポ皿において、
前記タンポ皿を浅底カップ状に形成し、その底面にタンポ皿の重心位置がタンポ皿の中心と一致するように重量軽減用の溝を設けたことを特徴とする木管楽器用タンポ皿。
【請求項２】
請求項１記載の木管楽器用タンポ皿において、
前記重量軽減用の溝は、タンポ皿と同心状の環状溝であることを特徴とする木管楽器用タンポ皿。
【請求項３】
請求項１または２記載の木管楽器用タンポ皿において、
前記タンポ皿の底面を平坦面に形成するとともに、底面中央にねじ孔を有する押圧板取付部を垂直に突設し、この押圧板取付部の先端面に外径が前記押圧板取付部の外径より大きい押圧板を固定し、この押圧板でタンポを前記タンポ皿の底面に押付けたことを特徴とする木管楽器用タンポ皿。
【請求項４】
請求項１または２記載の木管楽器用タンポ皿において、
前記タンポ皿の底面を平坦面に形成するとともに、底面中央に筒状のスナップ部を垂直に突設し、このスナップ部の先端部にスナップ押えを取付け、このスナップ押えによってタンポを前記タンポ皿の底面に押付けたことを特徴とする木管楽器用タンポ皿。
【請求項５】
請求項１〜４のうちのいずれか一項に記載の木管楽器用タンポ皿において、
前記タンポ皿が切削加工によって形成されていることを特徴とする木管楽器用タンポ皿。
【発明の詳細な説明】
【０００１】
【発明の属する技術分野】
本発明は、木管楽器用タンポ皿に関し、タンポ皿本体の質量を変化させ、タッチ感を調整できる木管楽器用タンポ皿に関する。
【０００２】
【従来の技術】
図３および図４に示すように、オーボエ、クラリネット、サクソフォン等の木管楽器は、管本体１の周面に設けた音孔２を鍵機構３によって作動されるタンポ４で開閉制御することにより所望の音高の音を発音させるものである。音孔２は、管本体１に突設した分岐管５の開口部とされる。鍵機構３は、管本体１の外周面に立設した支柱６によって軸支され図示しない鍵により回動される連管７と、この連管７にアーム８を介して設けられ前記タンポ４を収納するタンポ皿９と、前記連管７を介してタンポ皿９に閉方向の回動習性を付与する図示しないばね等で構成されている。
【０００３】
前記タンポ４は、音孔２を確実に閉塞しないと息漏れにより音高、音量、音色等が変化して安定した演奏音が得られなくなることから、高い気密性が要求される。また、長期間にわたって変形したりすることが少なく耐久性に優れ、かつ分岐管５によく馴染み軽快なタッチ感が得られるものであることが要求される。そのため、通常通気性を有する心材を気密性を有する被覆材で覆ったものをタンポ４として用いている。心材としては、一般に圧縮成形されたフェルト板と台紙を重ね合わせたものが用いられ、気密性を有する被覆材としては、通常スキン（羊や小牛なとの皮革）、ブラダー（羊や山羊などの内蔵表皮）等が用いられる。
【０００４】
前記タンポ皿９は通常金属板を絞り加工によって塑性変形させることにより浅底のカップ状に形成され、内部中央にはねじ孔１０を有する押圧板取付部材１１がロー付け、半田付け等によって固定されている。また、押圧板取付部材１１の先端面には、タンポ４をタンポ皿９の底面９ａに押し付ける押圧板１２がねじ１３によって固定されており、これによってタンポ４がタンポ皿９から脱落しないようにしている。
【０００５】
【発明が解決しようとする課題】
しかしながら、上記した従来の木管楽器用タンポ皿９は、通常金属板の絞り加工によって製作されるものであるため、質量が均一であり、タッチ感を調整することが困難であった。また、タンポ皿９の底面９ａ全体を高精度な平坦面に形成することが難しい。そのため、タンポ４の組付時、調整時、使用時あるいは修理時にタンポ４が音孔２に対して傾いたり変形したりすると、音孔２を高い気密性をもって閉塞することができなくなるため、息が漏れて安定した演奏音が得られなくなるという問題があった。また、傾きまたは変形によりタンポ４が分岐管５に対して片当たりすると、タッチ感も低下する。
また、押圧板取付部材１１をタンポ皿９とは別個に製作し、ロー付けまたは半田付けによって固定しているので、ロー付けまたは半田付け時に押圧板取付部材１１がタンポ皿９に対して偏心したり傾いたりするという問題があった。その結果、タンポ４がタンポ皿９に対して偏心し、厚み方向の変形が周方向において不均一になる。
【０００６】
そこで、図５に示すように筒状のスナップ部１４をタンポ皿９の底面９ａに一体に突設したものが知られている。しかし、このようなタンポ皿９も通常絞り加工によって形成されるため、スナップ部１４を高い精度で形成することができず、スナップ部１４の偏心、傾きを完全には解消することができず、スナップ押え１５との適当な嵌合とスナップ押え１５との精度の高い平行度が得られなかった。
【０００７】
本発明は上記した従来の問題点を解決するためになされたもので、その目的とするところは、タンポ皿本体の質量を調整してタッチ感を調整したり、タンポがタンポ皿に対して傾いたり、偏心したりあるいは周方向において不均一に変形したりすることがなく、長期間にわたってタンポを安定に収納し得るようにした木管楽器用タンポ皿を提供することにある。
【０００８】
【課題を解決するための手段】
上記目的を達成するために本発明は、楽器本体の音孔を開閉制御するタンポを収納する木管楽器用タンポ皿において、前記タンポ皿を浅底カップ状に形成し、その底面にタンポ皿の重心位置がタンポ皿の中心と一致するように重量軽減用の溝を設けたことを特徴とする。
本発明において、溝はタンポ皿の重量を軽減する。この場合、設計時に溝の幅およびまたは深さを変えて重量を調整することにより、分岐管に対するタンポのタッチ感を最適にすることができる。
また、本発明は、前記重量軽減用の溝をタンポ皿と同心状の環状溝で構成したので、良好な重量バランスを確保することができる。
【０００９】
また、本発明は、上記発明において、前記タンポ皿の底面を平坦面に形成するとともに、底面中央にねじ孔を有する押圧板取付部を垂直に突設し、この押圧板取付部の先端面に外径が前記押圧板取付部の外径より大きい押圧板を固定し、この押圧板でタンポを前記タンポ皿の底面に押付けたことを特徴とする。
本発明において、タンポ皿の底面は平坦面に形成されているので、タンポの組付時、調整時、使用時あるいは修理時においてタンポが音孔に対して傾いたり変形したりすることが少ない。したがって、タンポは音孔を高い気密性をもって確実に閉塞し、息漏れを防止する。このような平坦面からなる底面は、切削加工によって容易にかつ高精度に形成される。押圧板はタンポがタンポ皿から脱落するのを防止する。押圧板取付部はタンポ皿の加工時に同時に形成される。このような押圧板取付部は底面と同様に切削加工によって容易にかつ高精度に形成される。したがって、タンポ皿に対して偏心したり傾いたりすることがなく、タンポをタンポ皿の中心と一致させることができ、タンポの厚み方向の変形を円周方向において均一化させることができる。
【００１０】
また、本発明は、前記タンポ皿の底面を平坦面に形成するとともに、底面中央に筒状のスナップ部を垂直に突設し、このスナップ部の先端部にスナップ押えを取付け、このスナップ押えによってタンポを前記タンポ皿の底面に押付けたことを特徴とするものである。
本発明において、筒状のスナップ部はタンポ皿の加工時に同時に形成される。このようなスナップ部は底面と同様に切削加工によって容易にかつ高精度に形成される。したがって、タンポ皿に対して偏心したり傾いたりすることがなく、タンポをタンポ皿の中心と一致させることができ、タンポの厚み方向の変形を円周方向において均一化させることができ、スナップ押えとの適切な嵌合とスナップ押さえとの精度高い平行度でむらなくタンポを押さえることができる。
【００１１】
さらに、本発明は、前記タンポ皿が切削加工によって形成されていることを特徴とする。
本発明において、タンポ皿が切削加工によって形成されているので、底面、溝、押圧板取付部およびスナップ部を高精度に形成することができる。
【００１２】
【発明の実施の形態】
以下、本発明を図面に示す実施の形態に基づいて詳細に説明する。
図１は本発明に係る木管楽器用タンポ皿の断面図である。なお、従来技術の欄で示した構成部材等と同一のものについては同一の符号をもって示し、その説明を適宜省略する。タンポ皿２０は、旋盤による切削加工によって製作され、底面２０ａの中央に一体に突設された押圧板取付部２１を有している。前記底面２０ａは旋盤による切削加工のためタンポ皿２０の軸線と垂直な平坦面に形成され、かつ重量軽減用の溝２２を有している。この溝２２は、中心がタンポ皿２０の中心と一致するようにタンポ皿２０と同心状に形成された環状溝とされる。溝２２をタンポ皿２０と同心状に形成した理由は、タンポ皿２０の重心位置をタンポ皿２０の中心と一致させ、良好な重量バランスを確保するためである。溝２２の幅および深さは設計時に自由に変更される。前記押圧板取付部２１と前記溝２２は、タンポ皿２０の加工時に同時に形成される。また、押圧板取付部２１の先端面には、押圧板１２を固定するためのねじ１３がねじ込まれるねじ孔１０が形成されている。
【００１３】
このような構成からなるタンポ皿２０においては、底面２０ａが切削加工によって全面にわたって高精度な平坦面に形成されているので、従来の絞り加工によって製作されたタンポ皿に比べてタンポ４の組付時、調整時、使用時あるいは修理時にタンポ４が音孔２に対して傾いたり変形したりすることがなく、音孔２を高い気密性をもって確実に閉塞することができる。したがって、息漏れが発生せず安定した演奏音が得られ、楽器の性能を長期にわたって安定に維持することができる。
【００１４】
また、タンポ皿２０の重量は設計時に溝２２の幅と深さを変えることにより自由に変えることができるため、タンポ皿２０の重量を演奏者の好みに合わせて調整することにより、分岐管５に対するタンポ４のタッチ感を最適なものとすることができる。
また、重量軽減用の溝２２をタンポ皿２０と同心状の環状溝に形成したので、タンポ皿２０の重心位置がタンポ皿２０の中心と一致し、タンポ皿２０の重量バランスが良好である。
【００１５】
また、押圧板取付部２１はタンポ皿２０の製作と同時に切削加工によって形成されるため、タンポ皿２０に対して偏心したり傾いたりすることがなく高精度に形成され、タンポ４をタンポ皿２０の中心と一致させることができる。したがって、タンポ４の厚み方向の変形が円周方向において均一化させることができる。
【００１６】
図２は本発明の他の実施の形態を示す断面図である。
この実施の形態においては、タンポ皿２０を旋盤による切削加工によって製作し、底面２０ａの中央に上記した押圧板取付部２１の代わりに筒状のスナップ部１４を一体に突設している。スナップ押え１５をスナップ部１４に嵌合させ、タンポ４２を押さえている。その他の構成は上記した実施の形態と同じである。
【００１７】
このような構成においても、上記した実施の形態と同様にタンポ皿２０の底面２０ａを全面にわたって高精度な平坦面に形成しているので、タンポ４が傾いたり、厚み方向の変形が円周方向において不均一になったりすることがなく、楽器本体１の音孔２を高い気密性をもって確実に閉塞することができる。
また、溝２２によりタンポ皿２０の重量を軽減することができるので、分岐管５に対するタンポ４のタッチ感を最適なものとすることができる。
さらに、スナップ部１４は上記した押圧板取付部２１と同様にタンポ皿２０の製作と同時に切削加工により形成されるため、タンポ皿２０に対して偏心したり傾いたりすることがなく高精度に形成され、タンポ４をタンポ皿２０の中心と一致させることができる。したがって、タンポ４の厚み方向の変形を円周方向において均一化させることができる。
【００１８】
【発明の効果】
以上説明したように本発明に係る木管楽器用タンポ皿によれば、タンポ皿の底面をタンポ皿の軸線と垂直な平坦面に形成しているので、タンポの組付時、調整時、使用時あるいは修理時においてタンポが音孔に対して傾いたり変形したりすることがなく、音孔を高い気密性をもって確実に閉塞することができる。それ故、息漏れが発生せず安定した演奏音が得られ、楽器の性能を向上させることができる。
【００１９】
また、溝はその幅、深さによってタンポ皿の重量を自由に調整するので、楽器本体の分岐管に対するタンポのタッチ感を最適なものとすることが可能である。さらに、環状溝からなるため、タンポ皿の重量バランスも良好である。
【００２０】
また、押圧板取付部とスナップ部も底面と同様に高精度に形成することができるので、その中心をタンポ皿の中心と一致させることが容易で、タンポがタンポ皿に対して偏心することがなく、タンポの厚み方向の変形を円周方向において均一化させることができ、スナップ押えの平行が保証されるのでタンポにかかる圧力も均等とすることができる。
【図面の簡単な説明】
【図１】  本発明に係る木管楽器用タンポ皿の一実施の形態を示す断面図である。
【図２】  本発明の他の実施の形態を示す断面図である。
【図３】  木管楽器の鍵機構を示す斜視図である。
【図４】  木管楽器用タンポ皿の従来例を示す断面図である。
【図５】  タンポ皿の他の従来例を示す断面図である。
【符号の説明】
１…楽器本体、２…音孔、３…鍵機構、４…タンポ、５…分岐管、９…タンポ皿、１０…ねじ孔、１１…押圧板取付部材、１２…押圧板、１３…ねじ、１４…スナップ部、２０…タンポ皿、２０ａ…底面、２１…押圧板取付部、２２…重量軽減用の溝。
【図１】
0004000627.tif 000002
【図２】
0004000627.tif 000003
【図５】
0004000627.tif 000004
【図３】
0004000627.tif 000005
【図４】
0004000627.tif 000006